(57)【特許請求の範囲】
【請求項１】
無線通信のための方法であって、
データの伝送を受信すること、及び
複数のフレームの各々に関係する処理時間の決定に基づいて前記複数のフレームの中から確認応答（acknowledgement）（ＡＣＫ）情報を送るべきフレームを選択することによって特徴付けられる、データの該伝送に対する該ＡＣＫ情報を、該ＡＣＫ情報を送るために利用可能な複数のフレームの内の１つで送ること、
データの該伝送のために指定されたノードを指示するグラントを受信すること、該指定されたノードはチャネルツリー中の複数のノードの内の１つであってデータの該伝送のために使用すべき特定の諸資源と関連付けられる、及び
該複数のフレームの中から該ＡＣＫ情報を送るべきフレームを該指定されたノードに基づいて決定すること、
を具備し、
該ＡＣＫ情報を送るべきフレームを決定することは、
もし該指定されたノードが最少量の資源と関連付けられるベース・ノードであるならば、該複数のフレームの中でデータの該伝送に最も近接する第１フレームを選択すること、及び
もし該指定されたノードが最少量よりも多量の資源と関連付けられるより上位ティアのノードであるならば、該第１フレームよりも遅いフレームを選択すること、
を具備する、
方法。
【請求項２】
該受信された伝送を復号して該データを復元すること、及び
復号結果に基づいて該ＡＣＫ情報を決定すること、
を更に具備する、請求項１の方法。
【請求項３】
該グラントはデータの該伝送のための諸資源の量と送るべきデータの量の内の少なくとも１つを指示し、前記複数のフレームの各々に関係する前記処理時間は前記グラントの特性に基づいて決定される、請求項１の方法。
【請求項４】
より大きなグラントが、順次、データの該伝送からより離れたフレームと関連付けられて、データの該伝送に対してより多くの受信処理時間を供給する、請求項３の方法。
【請求項５】
データの該伝送は第１リンク上の第１フレームで受信され、及び該複数のフレームは第２リンクに対するものであって該第１フレームと関連付けられる、請求項１の方法。
【請求項６】
該第１フレームと該複数のフレームは、時分割複信（time division duplexed）（ＴＤＤ）システムでは、非対称分割を用いて取得される、請求項５の方法。
【請求項７】
少なくとも１つのコンピュータにデータの伝送を受信させるためのコード、
前記少なくとも１つのコンピュータに複数のフレームの各々に関連する処理時間の決定に基づいて確認応答（ＡＣＫ）情報を送るために利用可能な前記複数のフレームの中から前記ＡＣＫ情報を送るべきフレームを選択させるためのコードと、及び
該少なくとも１つのコンピュータに、データの該伝送に対する該ＡＣＫ情報を、該ＡＣＫ情報を送るために利用可能な前記複数のフレームの内の前記選択された１つで、送らせるためのコード、
該少なくとも１つのコンピュータに、データの該伝送のために指定されたノードを指示するグラントを受信させるためのコード、該指定されたノードはチャネルツリー中の複数のノードの内の１つであってデータの該伝送のために使用すべき特定の資源と関連付けられる、及び
該少なくとも１つのコンピュータに、該複数のフレームの中から該ＡＣＫ情報を送るべきフレームを該指定されたノードに基づいて決定させるためのコード、
を記憶し、
該少なくとも１つのコンピュータに、該ＡＣＫ情報を送るべきフレームを決定させるためのコードは、
もし該指定されたノードが最少量の資源と関連付けられるベース・ノードであるならば、該少なくとも１つのコンピュータに、該複数のフレームの中でデータの該伝送に最も近接する第１フレームを選択させるためのコード、及び
もし該指定されたノードが最少量よりも多量の資源と関連付けられるより上位ティアのノードであるならば、該少なくとも１つのコンピュータに、該第１フレームよりも遅いフレームを選択させるためのコード、
を具備する、
コンピュータ可読記憶媒体。
【請求項８】
無線通信のための方法であって、
データの伝送を送ること、及び
データの該伝送に対する確認応答（ＡＣＫ）情報を、該ＡＣＫ情報を送るために利用可能な複数のフレームの内の１つで受信すること、
を具備し、
該ＡＣＫ情報を送るために使用される前記１つのフレームは前記複数のフレームの各々に関係する処理時間の決定に基づいて前記複数のフレームから選択される、
データの該伝送のために指定されたノードを指示するグラントを受信すること、該指定されたノードはチャネルツリー中の複数のノードの内の１つであってデータの該伝送のために使用すべき特定の資源と関連付けられる、及び
該複数のフレームの中から該ＡＣＫ情報を送るべきフレームを該指定されたノードに基づいて決定すること、
を具備し、
該ＡＣＫ情報を送るべきフレームを決定することは、
もし該指定されたノードが最少量の資源と関連付けられるベース・ノードであるならば、該複数のフレームの中でデータの該伝送に最も近接する第１フレームを選択すること、及び
もし該指定されたノードが最少量よりも多量の資源と関連付けられるより上位ティアのノードであるならば、該第１フレームよりも遅いフレームを選択すること、
を具備する、
方法。
【請求項９】
データの該伝送のためのグラントを決定することを更に具備し、前記複数のフレームの各々に関係する前記処理時間は、資源の量または送るべきデータの量のグラントの指標に基づいて決定される、請求項８の方法。
【請求項１０】
無線通信のための方法であって、
データの伝送を受信すること、
データの該伝送のために指定されたノードを指示するグラントを受信することであって、該指定されたノードはチャネルツリー中の複数のノードの内の１つであってデータの該伝送のために使用すべき特定の諸資源と関連付けられる、
複数のフレームの中から確認応答（ＡＣＫ）を送るべきフレームを該指定されたノードに基づいて決定すること、及び
データの該伝送に対する該ＡＣＫ情報を、前記決定されたフレームで送ること、
を具備し、
該ＡＣＫ情報を送るべきフレームを決定することは、
もし該指定されたノードが最少量の資源と関連付けられるベース・ノードであるならば、該複数のフレームの中でデータの該伝送に最も近接する第１フレームを選択すること、及び
もし該指定されたノードが最少量よりも多量の資源と関連付けられるより上位ティアのノードであるならば、該第１フレームよりも遅いフレームを選択すること、
を具備する、
方法。
【発明の詳細な説明】
【優先権の主張】
【０００１】
本出願は２００８年２月１９日に提出され、本出願の譲受人に譲渡され、そして、参照としてここに組み込まれた、“ＵＭＢ  ＴＤＤ  ＦＲＡＭＥＷＯＲＫ”、と題する米国特許仮出願番号６１／０２９，８５３への優先権を主張する。
【技術分野】
【０００２】
本開示は一般に通信に係り、具体的には、無線通信システムにおいて制御情報を送るための技術に関する。
【背景技術】
【０００３】
無線通信システムは音声、画像、パケット・データ、メッセージング、放送、等々のような多様な通信コンテントを提供するために広く配備されている。これ等の無線システムは、利用可能なシステム資源を共有することによって、多数の利用者をサポートする能力を備える多元接続システムであり得る。このような多元接続システムの実例は符号分割多元接続（Code Division Multiple Access）（ＣＤＭＡ）システム、時分割多元接続（Time Division Multiple Access）（ＴＤＭＡ）システム、周波数分割多元接続（Frequency Division Multiple Access）（ＦＤＭＡ）システム、直交周波数分割多元接続（Orthogonal FDMA）（ＯＦＤＭＡ）システム、単一キャリア（Single-Carrier）ＦＤＭＡ（ＳＣ−ＦＤＭＡ）システムを含む。
【０００４】
無線通信システムでは、送信側（例えば、基地局）はデータを符号化してデータを受信側（例えば、端末）に伝送出来る。受信側は該伝送を受信および復号して送信側によって送られたデータを復元することが出来る。受信側は復号結果に基づいて確認応答（acknowledgement）（ＡＣＫ）情報を生成することが出来る。ＡＣＫ情報は、該伝送が正しく復号されたことを示すＡＣＫ又は該伝送が誤って復号されたことを示す否定応答（negative acknowledgement）（ＮＡＫ）を含むことが出来る。受信側は、ＡＣＫ情報と恐らくは他の制御情報を送信側に送って、送信側によるデータ伝送をサポートすることが出来る。ＡＣＫと他の制御情報を良好な動作成績を得る方法で送ることが望ましい。
【発明の概要】
【０００５】
無線通信システムにおいて設定可能なタイムラインを用いてＡＣＫ情報及び／又は他の制御情報を送るための技術が本明細書で説明される。ある一態様では、ＡＣＫ情報は、（固定されたフレーム・オフセットの代わりに）種々異なるフレーム・オフセットを用いて送られ、受信側に対して種々異なる受信処理時間を供給することが出来る。受信側は限られた処理資源を有することがあっても良く、種々異なる量のデータを処理するために、種々異なる量の時間を必要としても良い。受信側は、もしより少ない受信処理時間が要求されるならば、より早くＡＣＫ情報を送り、或いは、もしより多い受信処理時間が必要とされるならば、より遅くＡＣＫ情報を送ることが出来る。
【０００６】
１つの設計では、受信側はデータ伝送のためのグラント（grant）を受信することが出来る。該グラントはデータの該伝送のための諸資源の量、送るべきデータの量、等々を示すことが出来る。受信側は該グラントに従ってデータの該伝送を受信し、該受信された伝送を復号して該データを復元し、そして、復号結果に基づいてＡＣＫ情報を決定することが出来る。受信側は該グラントに基づいてＡＣＫ情報を送るべきフレームを決定することが出来る。該決定されたフレームはＡＣＫ情報を送るために利用可能な複数のフレームの内の１つであることが出来る。次に受信側は、データの該伝送に対する該ＡＣＫ情報を、該決定されたフレームで送ることが出来る。
【０００７】
１つの設計では、種々異なるグラント・サイズがＡＣＫ情報を送るための種々異なるフレームと関連付けられることが出来る。より多くの受信処理時間を受信側に供給するために、順次より大きなグラントがデータの該伝送から順次より離れたフレームと関連付けられことが出来る。受信側は該グラントのサイズに基づいてＡＣＫ情報を送るためのフレームを決定することが出来る。別の設計では、該グラントはデータの該伝送に対して指定されるノードを示すことが出来る。該指定されるノードはチャネルツリー（channel tree）中の複数のノードの内の１つであることが出来て、データを送るための特定の資源と関連付けられることが出来る。チャネルツリー中の各ノードは又ＡＣＫ情報を送るための特定のフレームと関連付けられることが出来る。受信側は該指定されるノードに基づいて該ＡＣＫ情報を送るためのフレームを決定することが出来る。
【０００８】
本明細書記載の諸技術は（上記のように）ＡＣＫ情報を送るために、並びに、他の制御情報、パイロット、等々を送るために、使用されることが出来る。所与の情報は、該情報を生成もしくは使用するために要求される処理時間に依存して、種々異なるフレームで送られることが出来る。本開示の多様な態様と特徴は又下記で更に詳細に説明される。
【図面の簡単な説明】
【０００９】
【図１】図１は無線通信システムを示す。
【図２】図２はハイブリッド自動再送（ＨＡＲＱ）を用いるデータ伝送を示す。
【図３】図３は設定可能なタイムラインを用いるＡＣＫ伝送を示す。
【図４】図４は時分割複信システムに対する非対称分割を示す。
【図５】図５は実例のチャネルツリーを示す。
【図６】図６は実例のデータ伝送方式を示す。
【図７】図７はデータ伝送を受信するための処理を示す。
【図８】図８はデータ伝送を受信するための装置を示す。
【図９】図９はデータ伝送を送るための処理を示す。
【図１０】図１０はデータ伝送を送るための装置を示す。
【図１１】図１１は伝送を交換するための処理を示す。
【図１２】図１２は伝送を交換するための装置を示す。
【図１３】図１３は基地局と端末のブロック図を示す。
【発明を実施するための形態】
【００１０】
本明細書記載の諸技術は、ＣＤＭＡ、ＴＤＭＡ、ＦＤＭＡ、ＯＦＤＭＡ、ＳＣ−ＦＤＭＡ及び他のシステムのような、多様な無線通信システムに対して使用出来る。用語“システム”と“ネットワーク”はしばしば相互に交換可能に使用される。ＣＤＭＡシステムは、ユニバーサル・テレストリアル・ラジオ・アクセス（Universal Terrestrial Radio Access）（ＵＴＲＡ）、ｃｄｍａ２０００のような、無線技術を実現することが出来る。ＵＴＲＡは広帯域ＣＤＭＡ（Wideband CDMA）（ＷＣＤＭＡ）及びＣＤＭＡの他の変型を含む。ｃｄｍａ２０００はＩＳ−２０００規格、ＩＳ−９５規格、及び、ＩＳ−８５６規格を包含する。ＴＤＭＡシステムはグローバル・システム・フォー・モバイル・コミュニケーションズ（Global system for Mobile communications）（ＧＳＭ（登録商標））のような無線技術を実現することが出来る。ＯＦＤＭＡシステムは、エボルブド（Evolved）ＵＴＲＡ（Ｅ−ＵＴＲＡ）、ウルトラ・モバイル・ブロードバンド（Ultra Mobile Broadband）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ（Flash-）ＯＦＤＭ（登録商標）、等々を実現することが出来る。ＵＴＲＡとＥ−ＵＴＲＡはユニバーサル・モバイル・テレコミュニケーション・システム（Universal Mobile Telecommunication System）（ＵＭＴＳ）の一部である。３ＧＰＰロング・ターム・エボリューション（ＬＴＥ）はＥ−ＵＴＲＡを使用する近々リリースのＵＭＴＳである。ＵＴＲＡ、Ｅ−ＵＴＲＡ、ＵＭＴＳ、ＬＴＥ及びＧＳＭは“第３世代パートナーシップ・プロジェクト”（“3rd Generation Partnership Project”）（３ＧＰＰ）と名付けられた組織からの文書に説明されている。ＣＤＭＡ２０００とＵＭＢは“第３世代パートナーシップ・プロジェクト２”（“3rd Generation Partnership Project 2”）（３ＧＰＰ２）と名付けられた組織からの文書に説明されている。本明細書記載の諸技術は、上記のシステムと無線技術並びにその他のシステムと無線技術に対して、使用出来る。
【００１１】
図１は無線通信システム１００を示し、該システムは多数の基地局１１０とその他のネットワーク構成要素を含むことが出来る。基地局は諸端末と通信する施設であると言えて、ノードＢ、拡張ノードＢ、アクセス点、等々とも呼ばれる。各基地局１１０は特定の地理的領域に対して通信圏を提供することが出来る。用語“セル”は、該用語が使用される文脈に従って、基地局の通信範囲及び／又はこの通信範囲へのサービス活動をする基地局サブシステムを指すことが出来る。システム制御器１３０は、複数の基地局からなるセットに接続して、これ等の基地局に対する調整と制御を提供することが出来る。
【００１２】
諸端末１２０はシステム全体に亘って分散されることが出来、それぞれの端末は固定したもの若しくはモバイルであってもよい。端末は又、アクセス端末、移動局、利用者装置、加入者ユニット、ステーション、等々と呼ばれる。端末はセルラ電話、携帯情報端末（personal digital assistant）（ＰＤＡ）、無線モデム、無線通信装置、ハンドヘルド（handheld）装置、ラップトップ・コンピュータ、コードレス電話、無線ローカル・ループ（wireless local loop）（ＷＬＬ）局、等々であってもよい。端末は順方向リンク及び逆方向リンク上で基地局と通信することが出来る。順方向リンク（若しくは下り回線）は基地局から端末への通信回線を指し、そして逆方向リンク（若しくは上り回線）は端末から基地局への通信回線を指す。図１では双方向矢印を持つ実線は端末とサービスを提供する基地局との間の望ましいデータ伝送を示す。双方向矢印を持つ破線は端末と干渉する基地局との間の干渉する伝送を表す。
【００１３】
該システムはデータ伝送の信頼性を改良するためにＨＡＲＱをサポートすることが出来る。ＨＡＲＱに対して、送信側はパケットの伝送を送ることが出来て、必要とされる場合、該パケットが受信側によって正しく復号されるまで、又は、最大伝送数が送られてしまうまで、又は、何か他の終了条件が遭遇されるまで、１又は複数の追加の伝送を送ることが出来る。
【００１４】
図２はＨＡＲＱを用いる実例のデータ伝送方式を示す。伝送のタイムラインはフレームの単位に分割されることが出来る。それぞれのフレームは所定の継続時間、例えば１ミリ秒（ｍｓ）、をカバーすることが出来る。フレームは又サブフレーム、スロット、等々と呼ばれることも出来る。
【００１５】
送信側（例えば、基地局）は受信側（例えば、端末）に送るべきデータを有することが出来る。該送信側は、選択された変調および符号化方式（modulation and coding scheme）（ＭＣＳ）に従って、データ・パケットＡを処理してデータ・シンボルを得ることが出来る。該送信側は、フレームｍで、グラント並びにパケットＡの第１伝送を生成して該受信側に送ることが出来る。該グラントは該伝送のために使用される諸資源、選択されたＭＣＳ、等々を示すことが出来る。グラントは資源グラント、割り振り（assignment）、等々とも呼ばれることが出来る。該受信側は該グラントに従って該第１伝送を受信および処理することが可能で、そしてパケットＡを誤って復号することがあり得る。その場合該受信側はフレームｍ＋Ｄで該送信側にＮＡＫを送ることが出来る。ここにＤ≧１である。該送信側はＮＡＫを受信することが出来て、フレームｍ＋Ｍで受信側にパケットＡの第２伝送を送ることが出来る。ここにＭ＞１である。該受信側は該第２伝送を受信し、該第１および第２伝送を処理して、パケットＡを正しく復号することがあり得る。その場合該受信側はフレームｍ＋Ｄ＋Ｍで該送信側にＡＣＫを送ることが出来る。該送信側は該ＡＣＫを受信してパケットＡの伝送を終了することが出来る。該送信側は、次に、ＭＣＳを選択し、該選択されたＭＣＳに従って別のパケットＢを処理し、そして、フレームｍ＋２Ｍで、グラント並びにパケットＢの第１伝送を該受信側に送ることが出来る。パケットとＡＣＫ情報の伝送が同様な方法で継続することが出来る。
【００１６】
同期ＨＡＲＱに対しては、指標１〜Ｍを持つＭ個のＨＡＲＱインターレースが順方向リンクと逆方向リンクのそれぞれに対して規定されることが出来る。ここでＭは４、６、８若しくは何か他の値に等しくなることが出来る。それぞれのＨＡＲＱインターレースはＭ個のフレームによって分離される諸フレームを含むことが出来る。例えば、ＨＡＲＱインターレースはｍ∈｛１，…，Ｍ｝に対して、フレームｍ、ｍ＋Ｍ、ｍ＋２Ｍ、等々を含むことが出来る。ここでｍはインターレース指標である。パケットは１つのＨＡＲＱインターレースで送られることが出来て、図２で示されるように、該パケットの全ての伝送は該ＨＡＲＱインターレースに属する異なるフレームで送られることが出来る。パケットの伝送はＨＡＲＱ伝送、パケット伝送、等々と呼ばれることが出来る。
【００１７】
非同期Ｈ−ＡＲＱに対しては、それぞれのＨＡＲＱ伝送はスケジューリングされて任意のフレームで送られることが出来る。所与のパケットに対して、諸資源の量、諸資源の所在地、ＭＣＳ及び／又はその他の諸パラメータは、該パケットの種々異なる伝送に対して、変わることが出来る。本明細書記載の諸技術は同期ＨＡＲＱと非同期ＨＡＲＱ双方に対して使用されることが出来る。簡明を期するため、下記の記載の多くは同期ＨＡＲＱに対するものである。
【００１８】
本明細書で使用されるように、ＡＣＫ情報はＡＣＫ、ＮＡＫ、及び／又は受信側における復号結果を示すその他の情報を含むことが出来る。ＡＣＫ伝送はＡＣＫ情報の伝送である。ＡＣＫ資源はＡＣＫ情報を送るために使用される資源であって、時間、周波数、符号、及び／又はその他の資源を含むことが出来る。ＡＣＫフレームはＡＣＫ情報がそこで送られるフレームである。
【００１９】
パケットの連続する複数の伝送間の継続時間はインターレース期間（interlace duration）と呼ばれることが出来て、図２に示されるように、ｔＩＮＴＥＲＬＡＣＥ  と表示されることが出来る。インターレース期間はＨＡＲＱインターレースの個数並びにフレーム期間に依存すると言える。例えば、もし各フレームが１ｍｓの期間を有し、そして８個のＨＡＲＱインターレースが利用可能であるとすれば、その場合インターレース期間は８ｍｓに等しく、パケットの連続伝送は８ｍｓで分離されると言える。インターレース期間は、システム設計に依存して、固定値であることも若しくは設定可能な値であることも可能である。
【００２０】
パケット伝送の終了からＡＣＫ伝送の開始までの期間は利用可能な受信処理時間と呼ばれることが出来て、図２に示されるように、ｔＲＸ＿ＰＲＯＣ  と表示されることが出来る。ＡＣＫ伝送の終了から次のパケット伝送の開始までの期間は利用可能な送信処理時間と呼ばれることが出来て、図２に示されるように、ｔＴＸ＿ＰＲＯＣ  と表示されることが出来る。所与のインターレース期間に対してＡＣＫフレームは、受信側にとって十分な受信処理時間が利用可能であり、そして送信側にとって十分な送信処理時間が利用可能であるように選択されることが出来る。ＡＣＫフレームは、一般的には、図２に示されるように、パケット伝送に使用されたフレームから固定されたオフセットＤ（フレーム単位で）の所にある。
【００２１】
ある一態様では、ＡＣＫ情報は、受信側に対して十分な受信処理時間及び／又は送信側に対して十分な送信処理時間を与えるために、設定可能なタイムラインを用いて送られることが出来る。受信側は限られた処理資源しか持たないことがあり得て、より大きなパケット若しくはより多くのパケットの伝送を処理するためには、より多くの時間を必要とすることがあり得る。受信側は、ある一定の型の伝送を処理するために、他の型の伝送より多くの時間を必要とすることもあり得る。例えば、受信側は、複数入力複数出力（multiple-input multiple-output）（ＭＩＭＯ）伝送に対しては、単一入力単一出力（single-input single-output）（ＳＩＳＯ）伝送に対するよりも多くの時間を必要とすることがあり得る。受信側はＡＣＫ情報を、より少ない処理時間が要求される場合にはより早く、より多い処理時間が要求される場合にはより遅く、送ることが出来る。
【００２２】
図３は設定可能なタイムラインを用いるＡＣＫ伝送の一設計を示す。送信側は、グラントに従って、１又は複数のパケットの伝送をフレームｍで受信側に送ることが出来る。該グラントは任意のサイズ（例えば、小、中、若しくは大）であることが出来て、送るべきデータの量、データの優先度、利用可能な諸資源、チャネルの状態、等々のような種々の要因に依存することが可能である。より大きなグラントは、より大きなパケット、より多くのパケット、より多くの資源、より先進的な伝送技術（例えば、ＭＩＭＯ）等々に対応することが出来る。逆に、より小さなグラントは、より小さなパケット、より少ないパケット、より少ない資源、より単純な伝送技術（例えば、ＳＩＳＯ）等々に対応することが出来る。
【００２３】
受信側は送信側からの伝送を受信して処理することが出来る。受信側はより大きなグラントに対してはより多くの処理時間を、そしてその逆を、要求することが出来る。受信側は、小グラントに対してはフレームｍ＋Ｄ1  で、中グラントに対してはフレームｍ＋Ｄ２  で、或いは大グラントに対してはフレームｍ＋Ｄ３  で、ＡＣＫ情報を送ることが出来る。ここに、Ｄ３  ＞Ｄ２  ＞Ｄ１  である。受信側は、小グラントに対しては処理時間ｔＲＸ＿ＰＲＯＣ１を、中グラントに対しては処理時間ｔＲＸ＿ＰＲＯＣ２を、或いは大グラントに対しては処理時間ｔＲＸ＿ＰＲＯＣ３を、有することが出来る。ここに、ｔＲＸ＿ＰＲＯＣ３＞ｔＲＸ＿ＰＲＯＣ２＞ｔＲＸ＿ＰＲＯＣ１である。
【００２４】
図３で示される実例では、受信側は、グラントが小、中、若しくは大であるかどうかに従って、３つのフレームの内の１つでＡＣＫ情報を送ることが出来る。一般に、受信側はグラント・サイズに従って複数のフレームの内の１つでＡＣＫ情報を送ることが出来る。ＡＣＫ情報を送るために使用されるフレームは、受信側に、より大きなグラントに対してはより多くの処理時間を、そしてその逆を、供給するために選択されることが出来る。
【００２５】
本明細書記載の諸技術は周波数分割複信（frequency division duplexed）（ＦＤＤ）システム並びに時分割複信（time division duplexed）（ＴＤＤ）システムに対して使用されることが出来る。ＦＤＤに対しては、順方向リンクと逆方向リンクは別々の周波数チャネルを割り当てられることが出来る。伝送は順方向リンクと逆方向リンクで、これ等のリンクに対して割り当てられた周波数チャネルを介して、同時に送られることが出来る。ＴＤＤに対しては、順方向リンクと逆方向リンクは同じ周波数のチャネルを共有することが出来る。利用可能な伝送時間の内あるものは順方向リンクに割当てられることが出来て、残りの伝送時間は逆方向リンクに割り当てられることが出来る。伝送はそれぞれのリンク上で該リンクに対して割り当てられた時間に送られることが出来る。
【００２６】
例えば図３に示される、設定可能なタイムラインを用いるＡＣＫ伝送はＦＤＤシステムとＴＤＤシステム双方に対して使用されることが出来る。送信側は、第１リンク、例えば順方向リンク、のための１つのＨＡＲＱインターレースに属する諸フレームで、パケット伝送を送ることが出来る。受信側は、第２リンク、例えば逆方向リンク、のための諸フレームで、ＡＣＫ情報を送ることが出来る。パケット伝送とＡＣＫ伝送は、ＦＤＤシステムでは異なる周波数チャネル上で送られ、そして、ＴＤＤシステムでは同一の周波数チャネル上で送られることが出来る。
【００２７】
本明細書記載の諸技術はＴＤＤシステムでは非対称分割に対して特に適用可能であると言える。非対称分割を用いると、順方向リンクに対して割り当てられる時間の量は逆方向リンクに対して割り当てられる時間の量とは異なることが出来る。例えば、Ｕ：Ｖ  ＴＤＤ設定では、Ｕ個のフレームが順方向リンクに対して割り当てられることが出来、次のＶ個のフレームが逆方向リンクに対して割り当てられることが出来て、次のＵ個のフレームが順方向リンクに対して割り当てられることが出来る、等々。ここに、非対称分割に対してはＵ≠Ｖである。非対称分割は、より多くのデータ・トラフィック若しくはより高い負荷を持つリンクにより多くのフレームを割り当てるために使用されることが出来る。
【００２８】
図４はＴＤＤシステムに対して適用可能である非対称分割の一設計を示す。この設計では、Ｍ個のフレームが第１リンクに対して割り当てられることが出来、次のＭ＊Ｎ個のフレームが第２リンクに対して割り当てられることが出来、次のＭ個のフレームが第１リンクに対して割り当てられることが出来る、等々。一般には、ＭとＮはそれぞれ任意の値であり得て、対称分割に対してはＮ＝１であり、非対称分割に対してはＮ＞１である。下記の説明の多くはＮ＞１であると仮定する。第１リンクと第２リンクはそれぞれ順方向リンクと逆方向リンクに対応することが出来て、より多くのフレームが逆方向リンクに対して割り当てられることが出来る。代わりに、第１リンクと第２リンクがそれぞれ逆方向リンクと順方向リンクに対応することが出来て、より多くのフレームが順方向リンクに対して割り当てられることが出来る。
【００２９】
図４に示される設計では、第１リンクに対するそれぞれのフレームは第２リンクに対するＮ個のフレームのセットと関連付けられることが出来る。第１リンクに対する各バーストにおけるＭ個のフレームは指標Ｆ１  〜ＦＭ  を指定されることが出来る。第２リンクに対する各バーストにおけるＭ＊Ｎ個のフレームは指標１〜Ｍを持つＭ個のセットに分割されることが出来て、それぞれのセットは連続するＮ個のフレームを含むことが出来る。第２リンクに対する各セット中のＮ個のフレームは指標Ｒｍ，1  〜Ｒｍ，Ｎ  を指定されることが出来る。ここに、ｍはセットの指標である。第１リンクに対するフレームＦｍ  は、第２リンクに対するフレームＲｍ，1  〜Ｒｍ，Ｎ  を含む、セットｍと関連付けられることが出来る。ここに、ｍ∈｛１，…，Ｍ｝である。
【００３０】
送信側は第１リンク上のフレームＦｍ  でデータの伝送を送ることが出来る。受信側は該伝送を受信して処理することが出来て、図４で示されるように、第２リンク上のＮ個のフレームＲｍ，1  〜Ｒｍ，Ｎ  の内の１つでＡＣＫ情報を送ることが出来る。受信側は、ＡＣＫ情報がフレームＲｍ，1  で送られる場合最少量の処理時間を有し、ＡＣＫ情報がフレームＲｍ，２  で送られる場合より多くのの処理時間を有し、等々と続いて、ＡＣＫ情報がフレームＲｍ，Ｎ  で送られる場合最大の処理時間を有することが出来る。
【００３１】
１つの設計では、第２リンク上でＡＣＫ情報を送るために使用されるフレームは、第１リンク上のフレームＦｍ  で送られるデータの伝送のためのグラントに基づいて選択されることが出来る。該グラントは、送るべきパケットの数と各パケットにおけるビット数によって与えられることが出来る、ペイロード・サイズを示すことが出来る。例えば、受信側はＡＣＫ情報を、小グラントに対してはフレームＲｍ，1  で、大グラントに対してはフレームＲｍ，Ｎ  で、或いは中間のグラントに対してはフレームＲｍ，1  とＲｍ，Ｎ  との間のあるフレームで、送ることが出来る。一般には、受信側は、順次より大きくなるグラントに対しては、データの伝送を処理するための順次より多くの時間を得るために、順次より遅いフレームでＡＣＫ情報を送ることが出来る。
【００３２】
ＴＤＤシステムとＦＤＤシステム双方に対して適用されることが出来る１つの設計では、ＡＣＫフレームはデータの伝送に対して認められる諸資源の量に基づいて選択されることが出来る。該認められる諸資源はサブキャリアのセット、資源ブロックのセット、チャネルツリー中の１又は複数のノード、等々を含むことが出来る。受信側は、より多くの資源が認められる場合、復調とその他のタスクに対してより多くの処理時間を必要とすることがあり得る。諸資源の量とＡＣＫフレームとの間のマッピングが規定されることが出来て、送信側と受信側双方によってアプリオリに知られることが出来る。その場合、送信側と受信側は、認められた諸資源の量と既知のマッピングに基づいて、ＡＣＫフレームを確定することが出来る。
【００３３】
一般に、諸資源は時間、周波数、符号、等々に基づいて規定されることが出来る。１つの設計では、複数の資源ブロックが規定されることが出来て、この場合それぞれの資源ブロックは所定の期間（例えば、１フレーム）中に所定のサブキャリア数（例えば、１２サブキャリア）を含む。直交周波数分割多重（orthogonal frequency division multiplexing）（ＯＦＤＭ）若しくは単一キャリア周波数分割多重（single-carrier frequency division multiplexing）（ＳＣ−ＦＤＭ）に関しては、システム帯域は複数（Ｋ個）のサブキャリアに分割されることが出来る。サブキャリアの総個数（Ｋ）はシステム帯域に依存することが出来る。例えば、Ｋは、システム帯域幅１．２５、２．５、５、１０、若しくは２０ＭＨｚに対してそれぞれ、１２８，２５６，５１２、１０２４、若しくは２０４８に等しくなることが出来る。利用可能な資源ブロックの個数はシステムの帯域幅に依存することが出来る。利用可能な資源ブロックはデータの伝送に対して指定されることが出来る。
【００３４】
別の設計では、チャネルツリーが資源を特定するために使用されることが出来る。チャネルツリーは資源の割り振りを制約することが出来て、このことは認められた資源を運ぶためのオーバーヘッドを削減することが出来る。
【００３５】
図５は、３２個のサブキャリア・セットが利用可能である場合に対するチャネルツリーの一設計５００を示す。それぞれのサブキャリア・セットは１又は複数の連続する若しくは不連続のサブキャリアを含むことが出来る。チャネルツリー５００では、３２個のノードが、３２個のサブキャリアに対して、ティア１に形成されることが出来、１６個のノードが、ティア１における３２個のノードに対して、ティア２に形成されることが出来、８個のノードが、ティア２における１６個のノードに対して、ティア３に形成されることが出来、４個のノードが、ティア３における８個のノードに対して、ティア４に形成されることが出来、２個のノードが、ティア４における４個のノードに対して、ティア５に形成されることが出来、そして１個のノードが、ティア５における２個のノードに対して、ティア６に形成されることが出来る。ティア２からティア６までの各ノードは直ぐ下のティアにおける２個のノードに対して形成されることが出来る。
【００３６】
チャネルツリーにおける各ノードは特有のノード指標もしくはチャネル識別子（ＩＤ）を指定されることが出来る。諸ノードは、図５で示されるように、上から下へそして各ティアに対して左から右へ順番に番号付けられた指標を指定されることが出来る。最上位のノード１は全３２個のサブキャリアのセットを含むことが出来る。最下位ティア１における３２から６３までの３２個のノードはベース・ノードと呼ばれることが出来て、それぞれのノードは１つのサブキャリアセットを含むことが出来る。チャネルツリーにおけるノードはデータの伝送のために指定されることが出来る。指定されたノードにマッピングされる全てのサブキャリア・セットは伝送のために使用されることが出来る。例えば、もしノード９が指定されるならば、その場合３６から３９までのベース・ノードに対する４個のサブキャリア・セットが伝送のために使用されることが出来る。
【００３７】
図５に示される木構造はサブキャリアの割り振りにある一定の制限を設ける。指定されるそれぞれのノードに対して、該指定されたノードの子孫となる全てのノードと該指定されたノードがそれに対する子孫となる全てのノードは制限される。該制限されたノードは該指定されたノードと同時には使用されない、従って、２つの端末が同時に同一サブキャリアを使用することはない。
【００３８】
１つの設計では、ＡＣＫ情報は、順次より上位のティアにおけるノード上でのパケット伝送に対しては順次より遅いフレームで送られることが出来る。例えば、ＡＣＫ情報はベース・ノード上でのパケット伝送に対しては第１フレームＲｍ，1  で送られることが出来、ティア２におけるノード上でのパケット伝送に対しては次のフレームＲｍ，２  で、等々と続き、そしてティア６における最上位ノード１上でのパケット伝送に対しては最後のフレームＲｍ，Ｎ  で送られることが出来る。ＡＣＫフレームへのノードの該マッピングはティアの個数、ＡＣＫ情報を送るために利用可能なフレーム数（Ｎ）、等々に依存することが出来る。例えば、Ｎ＝２の場合、ＡＣＫ情報はベース・ノード上でのパケット伝送に対してはフレームＲｍ，1  で送られることが出来、或いは、残りのノード上でのパケット伝送に対してはフレームＲｍ，２  で送られることが出来る。
【００３９】
別の設計では、それぞれのベース・ノードは特定のＡＣＫ資源と関連付けられることが出来る。例えば、図５に示されるように、１から３２までの指標を持つ３２個のＡＣＫ資源は、３２から６３までのベース・ノードに対して、それぞれ規定されることが出来る。受信側は、指定されたノードに対する全てのＡＣＫ資源の中で最低指標を持つＡＣＫ資源上でＡＣＫ情報を送ることが出来る。例えば、受信側は、ノード９が指定される場合ＡＣＫ資源５上で、ノード１９が指定される場合ＡＣＫ資源７上で、或いはノード３７が指定される場合ＡＣＫ資源６上で、ＡＣＫ情報を送ることが出来る。この設計では、ＡＣＫ資源１はノード３２、１６、８、４、２、若しくは１上のパケット伝送に対してＡＣＫ情報を運ぶことが出来る。ＡＣＫ資源２はノード３３上のパケット伝送に対してＡＣＫ情報を運ぶことが出来る。ＡＣＫ資源３はノード３４若しくは１７上のパケット伝送に対してＡＣＫ情報を運ぶことが出来る。ＡＣＫ資源４はノード３５上のパケット伝送に対してＡＣＫ情報を運ぶことが出来る。この設計では、偶数の指標を持つ各ＡＣＫ資源は１つのベース・ノードに対して使用されることが出来て第１フレームＲｍ，1  にマッピングされることが出来る。奇数の指標を持つ各ＡＣＫ資源は１又は複数のベース・ノードに対して使用されることが出来てより遅いフレームにマッピングされることが出来る。
【００４０】
チャネルツリー中のノードをＡＣＫフレーム／ＡＣＫ資源にマッピングするための数個の設計が上記で説明された。該ノードは又別の方法でＡＣＫフレーム／ＡＣＫ資源にマッピングされることも出来る。
【００４１】
図５は諸資源を指定するために使用されることが出来る実例のチャネルツリーを示す。一般には、利用可能な資源は任意の方法で、例えば、他のチャネルツリーもしくは他の資源分配方式を使用して、分配されることが出来る。ＡＣＫ情報は、順次より多くの資源上でのパケット伝送に対しては順次より遅いフレームで送られて、受信側に対してより多くの処理時間を提供することが出来る。指定可能な諸資源とＡＣＫフレーム／ＡＣＫ資源との間のマッピングは送信側と受信側によってアプリオリに知られることが出来る。その場合このことはシグナリング・オーバーヘッドを削減することが出来る。
【００４２】
簡明を期するため、上記では、設定可能なタイムラインを用いるＡＣＫ伝送が説明された。一般に、データ伝送に対して関係し得る制御及び／又は他の情報の任意の伝送は設定可能なタイムラインを使用して送られることが出来る。例えば、設定可能なタイムラインは、パイロット、チャネル品質インジケータ（ＣＱＩ）情報、資源品質インジケータ（ＲＱＩ）情報、資源要求、グラント等々、の伝送のために使用されることが出来る。ＣＱＩ情報は全てのサブキャリア若しくは指定されたサブキャリアに対する受信信号品質を提供することが出来て、周期的に送られることが出来る。ＲＱＩ情報は特定されたサブキャリアに対する受信信号品質を提供することが出来て、要求される場合に送られることが出来る。
【００４３】
図６はデータ伝送方式の一設計６００を示す。送信側（例えば、端末）は受信側（例えば、基地局）に送るべきデータを有することが出来て、フレームｍ１  で資源要求を送ることが出来る。該資源要求は送信側におけるバッファ（buffer）サイズ、該資源要求の緊急性の指示、等々を含むことが出来る。受信側は該資源要求を受信することが出来て、１又は複数の特定された資源に対する送信側の送信電力能力を問うために送信側にフレームｍ２  で送信能力要求を送ることが出来る。
【００４４】
送信側は受信側から送信能力要求を受信することが出来て、送信側が該特定された資源上で使用することが出来る最大送信電力水準を決定することが出来る。例えば、送信側は、高い干渉を観測している他の諸受信者から１又は複数の干渉低減要求を受信することが出来て（図６では示されない）、それに従って自身の送信電力を低減することが出来る。送信側は自身の最大送信電力水準を電力決定パイロットを介して搬送することが出来る。該パイロットはフレームｍ３  においてこの送信電力水準で送られることが出来る。
【００４５】
受信側は該電力決定パイロットを送信側から受信することが出来て、該受信パイロットに基づいて該特定された資源に属する受信信号品質を決定することが出来る。受信側は（例えば、受信側が基地局である場合）該受信信号品質に基づいてＭＣＳを選択することが出来る。次に受信側は、該指定された資源、該選択されたＭＣＳ、該指定された資源に対して使用すべき送信電力水準、等々を含むことが出来る、グラントを生成することが出来る。それに代わって、受信側は（例えば、受信側が端末である場合）該特定された資源に対する受信信号品質を示すＲＱＩ情報を生成することが出来る。受信側は該グラント又はＲＱＩ情報をフレームｍ４  で送信側に送ることが出来る。送信側は該グラント又はＲＱＩ情報を受信することが出来て、該グラント又はＲＱＩ情報に従って１又は複数のパケットを処理することが出来る。次に送信側はフレームｍ５  において該指定された資源上でデータの伝送を送ることが出来る。受信側は送信側からの該伝送を受信して該受信された伝送を復号することが出来る。次に受信側はフレームｍ６  でＡＣＫ情報を送ることが出来る。送信側はＮＡＫが受信される場合もう１つの伝送を送ることが出来て、ＡＣＫが受信される場合は終了するか或いは新データを送ることが出来る。
【００４６】
図６はデータ伝送をサポートするために送られることが出来る実例のメッセージとパイロットを示す。１つの設計では、図６におけるメッセージとパイロットは固定されたフレームで送られることが出来る。例えば、送信側は自身の伝送を１つのＨＡＲＱインターレースに属するフレームｍ１  、ｍ３  及びｍ５  で送ることが出来る。受信側も又自身の伝送を１つのＨＡＲＱインターレースに属するフレームｍ２  、ｍ４  及びｍ６  で送ることが出来る。別の設計では、図６における１又は複数のメッセージとパイロットは設定可能なフレームで送られることが出来る。例えば、パイロットは、チャネル推定及び／又は他のタスクを実行するために受信側によって要求される処理時間に依存して、種々異なるフレームで送られることが出来る。グラント若しくはＲＱＩ情報も又、１又は複数のパケットを伝送のために処理するために送信側によって要求される処理時間に依存して、種々異なるフレームで送られることが出来る。ＲＱＩ情報を送るためのフレームは又、割り振りサイズ、（例えば、受信側の能力に依存することが出来る）可能な最大ＭＩＭＯ次数もしくはランク、及び／又はその他の要因に基づいて、選択されることが出来る。割り振りサイズは、パイロット決定パイロット・チャネル（pilot decision pilot channels）（ＰＤＰＩＣＨｓ）の数及び／又は受信側によって処理されるべき他のチャネルの数と関係があり得る。資源要求は、スケジューリング及び／又は他のタスクのために要求される処理時間に依存して、種々異なるフレームで送られることが出来る。要求される処理時間は、要求される資源の量、送るべきデータの量、等々、と関係があることが出来て、それ等に基づいて推定されることが出来る。
【００４７】
図７はデータ伝送を受信するための処理の一設計７００を示す。処理７００は受信側によって実行されることが出来る。該受信側は順方向リンク上のデータ伝送に対しては端末であり、或いは、逆方向リンク上のデータ伝送に対しては基地局であることが出来る。受信側はデータの伝送のためのグラントを受信することが出来る（ブロック７１２）。該グラントはデータの伝送のための諸資源の量、送るべきデータの量、及び／又は他の情報を指示することが出来る。受信側は該グラントに従ってデータの伝送を受信し（ブロック７１４）、該受信された伝送を復号して該データを復元し（ブロック７１６）、そして復号結果に基づいてＡＣＫ情報を決定することが出来る（ブロック７１８）。受信側は該グラントに基づいて該ＡＣＫ情報を送るべきフレームを決定することが出来る（ブロック７２０）。該決定されたフレームは該ＡＣＫ情報を送るために利用可能な複数のフレームの内の１つであることが出来る。次に受信側は該決定されたフレームでデータの該伝送に対する該ＡＣＫ情報を送ることが出来る（ブロック７２２）。
【００４８】
ブロック７２０の１つの設計では、種々異なるグラント・サイズがＡＣＫ情報を送るための種々異なるフレームと関連付けられることが出来る。例えば、順次より大きなグラントがデータの該伝送から順次より離れたフレームに関連付けられて、データの該伝送に対してより多くの受信処理時間を供給することが出来る。受信側は該グラントのサイズを決定することが出来て、該グラント・サイズと関連付けられるフレームを該ＡＣＫ情報を送るためのフレームと決定することが出来る。
【００４９】
ブロック７２０の別の設計では、該グラントはデータの伝送のために指定されるノードを指示することが出来る。該指定されたノードはチャネルツリー中の複数のノードの内の１つであることが出来て、データの該伝送のために使用すべき特定の資源と関連付けられることが出来る。受信側は該指定されたノードに基づいてＡＣＫ情報を送るべきフレームを決定することが出来る。例えば、チャネルツリー中の各ノードはＡＣＫ情報を送るための特定のフレームと関連付けられることが出来る。次に受信側は該指定されたノードと関連付けられる該フレームをＡＣＫ情報を送るためのフレームとして決定することが出来る。１つの設計では、もし該指定されたノードが最少量の資源と関連付けられるベース・ノードであるならば、複数のフレームの中でデータの該伝送に最も近接している第１フレームがＡＣＫ情報を送るために使用されることが出来る。もし該指定されたノードが最少よりも多い量の資源と関連付けられるより上位ティアのノードであるならば、該第１フレームより遅いフレームがＡＣＫ情報を送るために使用されることが出来る。チャネルツリー中の諸ノードのＡＣＫフレームへの他のマッピングも又使用されることが出来る。
【００５０】
受信側は第１リンク上の第１フレームでデータの該伝送を受信することが出来て、第２リンク上の該決定されたフレームで該ＡＣＫ情報を送ることが出来る。ＡＣＫ情報を送るために利用可能な複数のフレームが該第１フレームと関連付けられることが出来る。例えば、該第１フレーム（例えば、図４におけるフレームＦ１  ）と該複数のフレーム（例えば、図４におけるフレームＲ１，１  〜Ｒ１，Ｎ  ）はＴＤＤシステムでは非対称分割を用いて取得されることが出来る。
【００５１】
図８はデータ伝送を受信するための装置の一設計８００を示す。装置８００は、データの伝送のためのグラントを受信するためのモジュール８１２、該グラントに従ってデータの伝送を受信するためのモジュール８１４、該受信されたデータの伝送を復号してデータを復元するためのモジュール８１６、復号結果に基づいてＡＣＫ情報を決定するためのモジュール８１８、該グラントに基づいてＡＣＫ情報を送るべきフレームを決定するためのモジュール８２０、ここに該決定されたフレームはＡＣＫ情報を送るために利用可能な複数のフレームのうちの１つである、そしてデータの該伝送に対するＡＣＫ情報を該決定されたフレームで送るためのモジュール８２２、を含む。
【００５２】
図９はデータ伝送を送るための処理の一設計９００を示す。処理９００はは送信側によって実行されることが出来る。該送信側は逆方向リンク上のデータ伝送に対しては端末であり、或いは、順方向リンク上のデータ伝送に対しては基地局であることが出来る。送信側はデータの伝送のためのグラントを決定することが出来る（ブロック９１２）。送信側は該グラントに従ってデータの該伝送を送ることが出来る（ブロック９１４）。送信側は該グラントに基づいてＡＣＫ情報を受信するためのフレームを決定することが出来る（ブロック９１６）。該決定されたフレームはＡＣＫ情報を送るために利用可能な複数のフレームのうちの１つであることが出来る。次に送信側はデータの該伝送に対するＡＣＫ情報を該決定されたフレームで受信することが出来る（ブロック９１８）。
【００５３】
１つの設計では、種々異なるグラント・サイズがＡＣＫ情報を送るための種々異なるフレームと関連付けられることが出来る。送信側は該グラントのサイズを決定することが出来て、該グラント・サイズと関連付けられるフレームを該ＡＣＫ情報を受信するためのフレームとして決定することが出来る。別の設計では、該グラントはデータの該伝送に対して指定されたチャネルツリー中のノードを指示することが出来る。チャネルツリー中の各ノードはＡＣＫ情報を送るための特定のフレームと関連付けられることが出来る。送信側は、該指定されたノードに基づいて、該ＡＣＫ情報を受信するためのフレームを決定することが出来る。
【００５４】
図１０はデータ伝送を送るための装置の一設計１１００を示す。装置１０００は、データの伝送のためのグラントを決定するためのモジュール１０１２、該グラントに従ってデータの伝送を送るためのモジュール１０１４、該グラントに基づいてＡＣＫ情報を受信するべきフレームを決定するためのモジュール１０１６、ここに該決定されたフレームはＡＣＫ情報を送るために利用可能な複数のフレームのうちの１つである、そしてデータの該伝送に対するＡＣＫ情報を該決定されたフレームで受信するためのモジュール１０１８、を含む。
【００５５】
図１１は伝送を交換するための処理の一設計１１００を示す。処理１１００は、送信側でも又は受信側であってもよい、第１構成員によって実行されることが出来る。第１構成員はデータの伝送を第２構成員と交換する（例えば、送る若しくは受信する）ことが出来る（ブロック１１１２）。第１構成員は、データの該伝送のためのグラントに基づいて、第２伝送を交換するための複数のフレームの内の１つを決定することが出来る（ブロック１１１４）。次に第１構成員は、データの該伝送をサポートするために、該決定されたフレームで、第２構成員と第２伝送を交換する（例えば、受信する若しくは送る）ことが出来る（ブロック１１１６）。
【００５６】
１つの設計では、第１構成員は送信側であって、第２構成員は受信側である。ブロック１１１２で、送信側は受信側にデータの伝送を送ることが出来て、ブロック１１１６で、受信側から第２伝送を受信することが出来る。別の設計では、第１構成員は受信側であることが出来て、第２構成員は送信側であることが出来る。ブロック１１１２で、受信側は送信側からデータの伝送を受信することが出来て、ブロック１１１６で、送信側へ第２伝送を送ることが出来る。
【００５７】
１つの設計では、第２伝送はＡＣＫ情報のためにあることができて、データの伝送の後で交換されることが出来る。他の設計では、第２伝送は、パイロット、ＣＱＩ情報、ＲＱＩ情報、資源要求、グラント、等々のためにあることが出来る。これ等の設計では、第２情報はデータの伝送の前に交換されることが出来る。
【００５８】
図１２は伝送を交換するための装置の一設計１２００を示す。装置１２００は、ある一構成員とデータの伝送を交換する（例えば、送る若しくは受信する）ためのモジュール１２１２、データの該伝送のためのグラントに基づいて、第２伝送を交換するための複数のフレームの内の１つを決定するためのモジュール１２１４、及び、データの該伝送をサポートするために該決定されたフレームで、該構成員と第２伝送を交換する（例えば、受信する若しくは送る）ためのモジュール１２１６、を含む。
【００５９】
図８、図１０及び図１２における諸モジュールは、プロセッサ、電子装置、ハードウェア装置、電子コンポーネント、論理回路、メモリ、ソフトウェア・コード、ファームウェア・コード、等々、又はこれ等の任意の組合せを含むことが出来る。
【００６０】
図１３は基地局１１０と端末１２０の一設計のブロック図を示し、該基地局と該端末は図１における諸基地局の内の１つと諸端末の内の１つであることが出来る。この設計では、基地局１１０は、Ｔ個のアンテナ１３３４ａ〜１３３４ｔを装備され、そして、端末１２０はＲ個のアンテナ１３５２ａ〜１３５２ｒを装備されている。ここに一般にＴ≧１及びＲ≧１である。
【００６１】
基地局１１０では、送信プロセッサ１３２０はデータ情報源１３１２からのデータのパケット及び制御器／プロセッサ１３４０からのメッセージを受領することが出来る。例えば、制御器／プロセッサ１３４０はデータ伝送をサポートするためにグラント及び他のメッセージを供給することが出来る。送信プロセッサ１３２０はデータ・パケット、メッセージ、及びパイロットを処理（例えば、符号化、インターリーブ、及び変調）することが出来て、データ・シンボル、制御シンボル、及びパイロット・シンボルをそれぞれ供給することが出来る。送信（ＴＸ）ＭＩＭＯプロセッサ１３３０は、データ・シンボル、制御シンボル、及び／又はパイロットシンボルに関して、もし適用可能であれば、空間処理（例えば、プレコーディング（precoding））を実行することが出来て、Ｔ個の出力シンボル出力をＴ個の変調器（ＭＯＤｓ）１３３２ａ〜１３３２ｔに供給することが出来る。それぞれの変調器１３３２は、それぞれ対応する出力シンボル・ストリームを（例えば、ＯＦＤＭ、ＳＣ−ＦＤＭ、ＣＤＭＡ、等々に対して）処理して、出力サンプル・ストリームを得ることが出来る。それぞれの変調器１３３２は、該出力サンプル・ストリームを更に処理（例えば、アナログへの変換、増幅、フィルタ処理、及びアップコンバート）して、順方向リンク信号を得ることが出来る。変調器１３３２ａ〜１３３２ｔからのＴ個の順方向リンク信号はそれぞれ、Ｔ個のアンテナ１３３４ａ〜１３３４ｔを介して、送信されることが出来る。
【００６２】
端末１２０では、アンテナ１３５２ａ〜１３５２ｒは基地局１１０からの順方向リンク信号を受信することが出来て、受信された諸信号をそれぞれ復調器（ＤＥＭＯＤｓ）１３５４ａ〜１３５４ｒに供給することが出来る。それぞれの復調器１３５４は、それぞれ対応する受信信号を調整（例えば、フィルタ処理、増幅、ダウンコンバート、及びデジタル化）して、受信サンプルを得ることが出来る。それぞれの復調器１３５４は、（例えば、ＯＦＤＭ、ＳＣ−ＦＤＭ、ＣＤＭＡ、等々に対する）該受信サンプルを更に処理して、受信シンボルを得ることが出来る。ＭＩＭＯ検出器１３５６は、全Ｒ個の復調器１３５４ａ〜１３５４ｒから該諸受信シンボルを取得し、もし適用可能であれば該諸受信シンボルについてＭＩＭＯ検出を実行し、そして検出されたシンボルを供給することが出来る。受信プロセッサ１３５８は該検出されたシンボルを処理（例えば、復調、逆インターリーブ、及び復号）し、端末１２０に対して復号されたパケットをデータ・シンク１３６０へ供給し、そして、復号されたメッセージを制御器／プロセッサ１３８０へ供給することが出来る。
【００６３】
逆方向リンク上では、端末１２０において、送信プロセッサ１３６４はデータ情報源１３６２からのデータのパケットと制御器／プロセッサ１３８０からの（例えば、資源要求、ＡＣＫ情報、等々のための）メッセージを受領して処理することが出来る。送信プロセッサ１３６４からの諸シンボルは、もし適用可能であるならばＴＸ  ＭＩＭＯプロセッサ１３６６によってプレコーディングされ、変調器１３５４ａ〜１３５４ｒによって更に処理され、そして基地局１１０に送信されることが出来る。基地局１１０では、端末１２０からの逆方向リンク信号はアンテナ１３３４によって受信され、復調器１３３２によって処理され、もし適用可能であるならばＭＩＭＯ検出器１３３６によって検出され、そして受信プロセッサ１３３８によって更に処理されて端末１２０によって送信された復号パケットとメッセージを取得することが出来る。
【００６４】
制御器／プロセッサ１３４０と１３８０はそれぞれ基地局１１０と端末１２０における動作を命令することが出来る。基地局１１０におけるプロセッサ１３４０及び／又はその他の諸モジュールは図７におけるプロセス７００、図９におけるプロセス９００、図１１におけるプロセス１１００、及び／又は本明細書記載の諸技術に対するその他の処理を実行または命令することが出来る。端末１２０におけるプロセッサ１３８０及び／又はその他の諸モジュールも又プロセス７００、プロセス９００、プロセス１１００、及び／又は本明細書記載の諸技術に対するその他の処理を実行または命令することが出来る。メモリ１３４２と１３８２はそれぞれ基地局１１０と端末１２０に対するデータとプログラム・コードを格納することが出来る。スケジューラ１３４４は、順方向リンク及び／又は逆方向リンク上のデータ伝送のために、諸端末をスケジューリングすることが出来て、該スケジューリングされた諸端末に対してグラントを供給することが出来る。
【００６５】
当業者等は情報と信号は種々の異なる基本技術と専門技術の内の何等かを使用して表されることが出来ることを理解する。例えば、上記の説明全体に亘って参照されることが出来る、データ、指示、命令、情報、信号、ビット、シンボル、及び、チップは、電圧、電流、電磁波、磁場もしくは磁性粒子、光学的場もしくは光学粒子，又はこれ等の任意の組合せ、により表されることが可能である。
【００６６】
当業者等は更に、本明細書における開示と関連して説明された種々の例示的な論理ブロック、モジュール、回路、及びアルゴリズム・ステップはエレクトロニック・ハードウェア、コンピュータ・ソフトウェア、或いは両者の組合せとして実装されることが可能であること、を認識する。ハードウェアとソフトウェアのこの交換可能性を明確に説明するために、種々の例示的なコンポーネント、ブロック、モジュール、回路、及びステップは上記において一般にそれ等の機能性を表す用語で説明された。このような機能性がハードウェアとして実装されるか又はソフトウェアとして実装されるかは、システム全体に課される特別な応用上及び設計上の制約に依存する。当業者等は説明された機能性を個々の特別な応用に対して種々の方法で実装することが出来る、しかし、そのような実装上の解決は本開示の範囲からの逸脱をもたらすので、説明されるべきではない。
【００６７】
本明細書における開示と関連して説明された種々の例示的な論理ブロック、モジュール、及び回路は、汎用プロセッサ、デジタル信号処理装置（digital signal processor）（ＤＳＰ）、特定用途向け集積回路（application specific integrated circuit）（ＡＳＩＣ）、フィールド・プログラマブル・ゲート・アレイ（field programmable gate array）（ＦＰＧＡ）若しくは他のプログラム可能な論理デバイス、ディスクリート・ゲート（discrete gate）若しくはトランジスタ・ロジック（transistor logic）、ディスクリート・ハードウェア・コンポーネント（discrete hardware components）、或は本明細書に記載された諸機能を実行するために設計されたそれ等の任意の組合せ、を用いて実装もしくは実行されることが出来る。汎用プロセッサはマイクロプロセッサであって良い、しかし、その代わりに、該プロセッサは任意の通常のプロセッサ、制御器、マイクロ制御器、又はステート・マシン（state machine）であって良い。プロセッサは計算する装置の組合せ、例えば、ＤＳＰとマイクロプロセッサの組合せ、複数のマイクロプロセッサ、ＤＳＰコアと結合された１又は複数のマイクロプロセッサ、或は任意の他のこのような構成、として実現されることも可能である。
【００６８】
本明細書における開示と関連して説明された方法もしくはアルゴリズムの諸ステップは、直接ハードウェアにおいて、プロセッサにより遂行されるソフトウェア・モジュールにおいて、又は両者の組合せにおいて、具体化されることが可能である。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・デイスク、リムーバブル・ディスク、ＣＤ−ＲＯＭ、或は当業者には公知の他の任意の記憶媒体形式、中に常駐することが出来る。ある一実例の記憶媒体はプロセッサに結合され、従って該プロセッサは該記憶媒体から情報を読み、該記憶媒体に情報を書くことが出来る。それに代わって、記憶媒体はプロセッサと一体になることも出来る。プロセッサと記憶媒体はＡＳＩＣの中に常駐することが可能である。該ＡＳＩＣは利用者端末中に常駐することが出来る。それに代わって、プロセッサと記憶媒体は利用者端末中で個別的コンポーネントとして常駐することが可能である。
【００６９】
１又は複数の実例の設計では、説明された諸機能はハードウェア、ソフトウェア、ファームウェア、又はこれ等の任意の組合せにおいて実装されることが出来る。もしソフトウェアで実装される場合、該諸機能はコンピュータ可読媒体上に記憶されるか、或いはコンピュータ可読媒体上の１又は複数の命令もしくはコードとして伝送されることが出来る。コンピュータ可読媒体は、コンピュータ記憶媒体と、コンピュータ・プログラムの１つの場所から別の場所への伝送に資する任意の媒体を含む、通信媒体の双方を含む。記憶媒体は汎用もしくは専用コンピュータによってアクセスされることが出来る任意の入手可能な媒体であることが出来る。限定としてではなく実例として、そのようなコンピュータ可読媒体は、ＲＡＭ、ＲＯＭ、ＥＥＰＲＯＭ、ＣＤ−ＲＯＭ若しくは他の光学ディスク・ストレージ、磁気ディスク・ストレージ若しくは他の磁気記憶装置、或いは、所望のプログラム・コード手段を命令もしくはデータ構造の形式で搬送もしくは記憶するために使用されることが出来る及び汎用もしくは専用コンピュータ又は汎用もしくは専用プロセッサによってアクセスされることが出来る、任意の他の媒体を含むことが出来る。又、任意の接続は適切にコンピュータ可読媒体と呼ばれる。例えば、ソフトウェアがウェブサイト、サーバ、又は、他の遠隔情報源から、同軸ケーブル、光ファイバ・ケーブル、ツイスト・ペア（twisted pair）、デジタル加入者線（digital subscriber line）（ＤＳＬ）、又は、赤外線、無線波およびマイクロ波のような無線技術を使用して、伝送される場合、該同軸ケーブル、光ファイバ・ケーブル、ツイスト・ペア、ＤＳＬ、又は、赤外線、無線波およびマイクロ波のような無線技術は、媒体の定義中に含まれる。本明細書で使用される、ディスク（ｄｉｓｋ及びｄｉｓｃ）は、コンパクト・ディスク（ＣＤ）、レーザ・ディスク、光学ディスク、デジタル多用途ディスク（digital versatile disc）（ＤＶＤ）、フロッピー（登録商標）ディスク及びブルーレイ・ディスクを含み、ここにｄｉｓｋは通常データを磁気的に再生するが、他方、ｄｉｓｃはデータをレーザを用いて光学的に再生する。上記の組合せも又コンピュータ可読媒体の範囲の中に含まれるべきである。
【００７０】
本開示の前述の説明は、当業者の誰もが本開示を作る又は利用することを可能にするために提供される。本開示への様々な修正は、当業者には容易に明らかであり、そして本明細書中で明確にされた包括的な諸原理は、本開示の精神もしくは範囲から逸脱することなく他の変型に適用されることが可能である。かくして、本開示は、本明細書中で説明される諸実例と諸設計に限定されることを意図されるのではなく、本明細書中に開示された諸原理及び新規性と首尾一貫する最も広い範囲を認容されるべきである。
以下に本件出願当初の特許請求の範囲に記載された発明を付記する。
［１］無線通信のための方法であって、データの伝送を受信すること、及びデータの該伝送に対する確認応答（acknowledgement）（ＡＣＫ）情報を、該ＡＣＫ情報を送るために利用可能な複数のフレームの内の１つで送ること、を具備する方法。
［２］該受信された伝送を復号して該データを復元すること、及び復号結果に基づいて該ＡＣＫ情報を決定すること、を更に具備する、［１］の方法。
［３］データの該伝送のためのグラントを受信することを具備し、該グラントはデータの該伝送のための諸資源の量と送るべきデータの量の内の少なくとも１つを指示し、及び該グラントに基づいて該複数のフレームの中から該ＡＣＫ情報を送るべきフレームを決定すること、を更に具備する、［１］の方法。
［４］種々異なるグラント・サイズが、該Ｋ情報を送るための種々異なるフレームと関連付けられ、及び該ＡＣＫ情報を送るべきフレームを決定することは、データの該伝送に対する該グラントのサイズを決定すること、及び該グラントの該サイズと関連付けられるフレームを該ＡＣＫ情報を送るための該フレームとして決定すること、を具備する、［３］の方法。
［５］順次より大きなグラントが、データの該伝送から順次より離れたフレームと関連付けられて、データの該伝送に対してより多くの受信処理時間を供給する、［３］の方法。
［６］データの該伝送のために指定されたノードを指示するグラントを受信することを具備し、該指定されたノードはチャネルツリー中の複数のノードの内の１つであってデータの該伝送のために使用すべき特定の諸資源と関連付けられ、及び該複数のフレームの中から該ＡＣＫ情報を送るべきフレームを該指定されたノードに基づいて決定すること、を更に具備する、［１］の方法。
［７］チャネルツリー中の各ノードは該ＡＣＫ情報を送るための該複数のフレームの内の１つと関連付けられ、及び該ＡＣＫ情報を送るべきフレームを決定することは、該指定されたノードと関連付けられるフレームを該ＡＣＫ情報を送るための該フレームとして決定することを具備する、［６］の方法。
［８］該ＡＣＫ情報を送るべきフレームを決定することは、もし該指定されたノードが最少量の資源と関連付けられるベース・ノードであるならば、該複数のフレームの中でデータの該伝送に最も近接する第１フレームを選択すること、及びもし該指定されたノードが最少量よりも多量の資源と関連付けられるより上位ティアのノードであるならば、該第１フレームよりも遅いフレームを選択すること、を具備する、［６］の方法。
［９］データの該伝送は第１リンク上の第１フレームで受信され、及び該複数のフレームは第２リンクに対するものであって該第１フレームと関連付けられる、［１］の方法。
［１０］該第１フレームと該複数のフレームは、時分割複信（time division duplexed）（ＴＤＤ）システムでは、非対称分割を用いて取得される、［９］の方法。
［１１］無線通信のための装置であって、データの伝送を受信し、及びデータの該伝送に対する確認応答（ＡＣＫ）情報を、該ＡＣＫ情報を送るために利用可能な複数のフレームの内の１つで送るよう構成された少なくとも１つのプロセッサ、を具備する装置。
［１２］該少なくとも１つのプロセッサは、データの該伝送のためのグラントを受信するよう構成され、該グラントはデータの該伝送のための諸資源の量と、送るべきデータの量の内の少なくとも１つを指示し、及び該少なくとも１つのプロセッサは該グラントに基づいて該複数のフレームの中から該ＡＣＫ情報を送るべきフレームを決定するよう構成される、［１１］の装置。
［１３］種々異なるグラント・サイズが該ＡＣＫ情報を送るための種々異なるフレームと関連付けられ、及び該少なくとも１つのプロセッサは、データの該伝送に対する該グラントのサイズを決定し、及び該グラントの該サイズと関連付けられるフレームを該ＡＣＫ情報を送るための該フレームとして決定するよう構成される、［１２］の装置。
［１４］該少なくとも１つのプロセッサは、データの該伝送のために指定されたノードを指示するグラントを受信するよう構成され、該指定されたノードはチャネルツリー中の複数のノードの内の１つであってデータの該伝送のために使用すべき特定の諸資源と関連付けられ、及び該少なくとも１つのプロセッサは該指定されたノードに基づいて該複数のフレームの中から該ＡＣＫ情報を送るべきフレームを決定するよう構成される、［１１］の装置。
［１５］無線通信のための装置であって、データの伝送を受信するための手段、及びデータの該伝送に対する確認応答（ＡＣＫ）情報を、該ＡＣＫ情報を送るために利用可能な複数のフレームの内の１つで送るための手段、を具備する装置。
［１６］データの該伝送のためのグラントを受信するための手段を具備し、該グラントはデータの該伝送のための諸資源の量と送るべきデータの量の内の少なくとも１つを指示し、及び該グラントに基づいて該複数のフレームの中から該ＡＣＫ情報を送るべきフレームを決定するための手段と、を更に具備する、［１５］の装置。
［１７］種々異なるグラント・サイズが該ＡＣＫ情報をおくるための種々異なるフレームと関連付けら、及び該ＡＣＫ情報を送るべきフレームを決定するための手段は、データの該伝送のための該グラントのサイズを決定するための手段、及び該グラントの該サイズと関連付けられるフレームを該ＡＣＫ情報を送るための該フレームとして決定するための手段、を具備する、［１６］の装置。
［１８］データの該伝送のために指定されたノードを指示するグラントを受信するための手段を具備し、該指定されたノードはチャネルツリー中の複数のノードの内の１つであってデータの該伝送のために使用すべき特定の諸資源と関連付けられ、及び該指定されたノードに基づいて該複数のフレームの中から該ＡＣＫ情報を送るべきフレームを決定するための手段、を更に具備する、［１５］の装置。
［１９］コンピュータ・プログラム製品であって、少なくとも１つのコンピュータにデータの伝送を受信させるためのコード、及び該少なくとも１つのコンピュータに、データの該伝送に対する確認応答（ＡＣＫ）情報を、該ＡＣＫ情報を送るために利用可能な複数のフレームの内の１つで、送らせるためのコード、を具備するコンピュータ可読媒体を具備する、コンピュータ・プログラム製品。
［２０］無線通信のための方法であって、データの伝送を送ること、及びデータの該伝送に対する確認応答（ＡＣＫ）情報を、該ＡＣＫ情報を送るために利用可能な複数のフレームの内の１つで受信すること、を具備する方法。
［２１］データの該伝送のためのグラントを決定すること、該グラントに基づいて該複数のフレームの中から該ＡＣＫ情報を受信すべきフレームを決定すること、を更に具備する、［２０］の方法。
［２２］種々異なるグラント・サイズが該ＡＣＫ情報をおくるための種々異なるフレームと関連付けられ、及び該ＡＣＫ情報を受信すべきフレームを決定することは、データの該伝送に対する該グラントのサイズを決定すること、及び該グラントの該サイズと関連付けられるフレームを該ＡＣＫ情報を受信するための該フレームとして決定すること、を具備する、［２１］の方法。
［２３］データの該伝送のために指定されるノード決定することと、該指定されるノードはチャネルツリー中の複数のノードの内の１つであってデータの該伝送のために使用すべき特定の諸資源と関連付けら、及び該指定されるノードに基づいて該複数のフレームの中から該ＡＣＫ情報を受信すべきフレームを決定すること、を更に具備する、［２０］の方法。
［２４］無線通信のための装置であって、データの伝送を送り、及びデータの該伝送に対する確認応答（ＡＣＫ）情報を、該ＡＣＫ情報を送るために利用可能な複数のフレームの内の１つで受信するよう構成された少なくとも１つのプロセッサ、を具備する装置。
［２５］該少なくとも１つのプロセッサは、データの該伝送のためのグラントを決定し、及び該グラントに基づいて該複数のフレームの中から該ＡＣＫ情報を受信すべきフレームを決定するよう構成される、［２４］の装置。
［２６］種々異なるグラント・サイズが該ＡＣＫ情報を送るための種々異なるフレームと関連付けられ、該少なくとも１つのプロセッサは、データの該伝送に対する該グラントのサイズを決定し、及び該グラントの該サイズと関連付けられるフレームを該ＡＣＫ情報を受信するための該フレームとして決定するよう構成される、［２４］の装置。
［２７］無線通信のための方法であって、ある一構成員とデータの伝送を交換すること、第２伝送を交換するための複数のフレームの内の１つを、データの該伝送のためのグラントに基づいて決定すること、及び
データの該伝送をサポートするために、該決定されたフレームで、該構成員との該第２伝送を交換すること、を具備する方法。
［２８］該第２伝送は確認応答（ＡＣＫ）情報を具備し、データの該伝送の後で交換される、［２７］の方法。
［２９］該第２伝送は、パイロット、チャネル品質インジケータ（ＣＱＩ）情報、資源品質インジケータ（ＲＱＩ）情報、資源要求、及び該グラントの内の少なくとも１つを具備し、データの該伝送の前に交換される、［２７］の方法。
［３０］無線通信のための装置であって、
データの伝送をある一構成員と交換するために、第２伝送を交換するための複数のフレームの内の１つを、データの該伝送のためのグラントに基づいて決定し、及びデータの該伝送をサポートするために該決定されたフレームで該構成員と該第２伝送を交換するよう構成された少なくとも１つのプロセッサ、を具備する装置。
【図１】
0005536187.tif 000002
【図２】
0005536187.tif 000003
【図３】
0005536187.tif 000004
【図４】
0005536187.tif 000005
【図５】
0005536187.tif 000006
【図６】
0005536187.tif 000007
【図７】
0005536187.tif 000008
【図８】
0005536187.tif 000009
【図９】
0005536187.tif 000010
【図１０】
0005536187.tif 000011
【図１１】
0005536187.tif 000012
【図１２】
0005536187.tif 000013
【図１３】
0005536187.tif 000014